【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
少なくとも２〜２００個または５〜１５０個または１０〜１００個または１５〜５０個の繰り返し単位を含むポリマーであって、前記繰り返し単位が、
（ａ）
【化２３】
2014514376.tif 000001
によって表される繰り返し単位、
（ｂ）
【化２４】
2014514376.tif 000002
によって表される繰り返し単位、
（ｃ）
【化２５】
2014514376.tif 000003
によって表される繰り返し単位、および
（ｄ）
【化２６】
2014514376.tif 000004
によって表される繰り返し単位を含む構造（ａ）、（ｂ）、（ｃ）および（ｄ）の群から選択され、
式中、
Ｅ１が、２〜５個または２〜３個の炭素原子によって隔てられている（典型的には、前記炭素原子は結合して、アルキレン鎖を形成する）１つまたは複数のカルボン酸基を有するモノビニルモノマーから誘導された繰り返し単位であり、
Ｅ２が、２〜５個または２〜３個の炭素原子によって隔てられている（典型的には、前記炭素原子は結合して、アルキレン鎖を形成する）１つまたは複数のカルボン酸基を有する１つまたは２つのモノビニルモノマーの繰り返し単位から誘導された繰り返し単位であり、
ｕが、０を超える値であり、
ｘが、０〜５０、または０〜４０、または３〜３０、または５〜２５であり、
ｙが、１〜５０、または２〜３５、または２〜２０、または２〜１５、または３〜１５であり、
ｚが、１〜１００、または３〜７５、または５〜５０、または７〜３０であり、
Ｑが、
【化２７】
2014514376.tif 000005
のいずれかであり、
Ｈｙが、１〜１０個または１〜５個または１〜３個または２〜３個の炭素原子を含有する直鎖または分枝ヒドロカルビレン基であり、
各Ｒ１が、ヒドロカルビル基、典型的には、Ｃ１〜１００、Ｃ１〜３０、またはＣ６〜２４、またはＣ７〜１８ヒドロカルビル基（典型的には、アルキルまたはアルカリールまたはアリール基）であり、
各Ｒ２が、−ＣＨ３、−ＣＨ２ＣＨ３、または芳香族基（典型的には、フェニル基、ナフチル基）、または置換芳香族基であり、
各Ｒ３が、ヒドロカルビル基、典型的には、Ｃ１〜３０、またはＣ６〜２４、またはＣ８〜１８ヒドロカルビル基（典型的には、アルキルまたはアルカリールまたはアリール基）であり、
各Ｒ６が、Ｒ３または場合によっては置換されている（メタ）アクリル基であり（典型的には、各Ｒ６は、Ｒ３またはヒドロキシアルキル（メタ）アクリレートであってよい）、Ｗが、Ｒ１−または
【化２８】
2014514376.tif 000006
のいずれかであり、
ｎ＋ｍの合計が、５〜８０、または７〜７７、または８〜７５、または１０〜７０であり、典型的には、ｎが、ｍより大きい整数である（ｎは、１１〜７０であってよく、ｍは、０〜３４であってよい）、ポリマー。
【請求項２】
ｘが０〜５０、ｙが１〜５０、ｚが１〜１００であり、またはより好ましくは、ｘが０〜５０、ｙが１〜５０であり、ｚ＋ｕの合計が１〜１００である、請求項１に記載のポリマー。
【請求項３】
ｘが０〜４０、ｙが２〜３５、ｚが３〜７５であり、またはより好ましくは、ｘが０〜４０、ｙが２〜３５であり、ｚ＋ｕの合計が３〜７５である、請求項１に記載のポリマー。
【請求項４】
ｘが３〜３０、ｙが２〜２０、ｚが５〜５０であり、またはより好ましくは、ｘが３〜３０、ｙが２〜２０であり、ｚ＋ｕの合計が５〜５０である、請求項１に記載のポリマー。
【請求項５】
ｘが５〜２５、ｙが３〜１５、ｚが７〜３０であり、またはより好ましくは、ｘが５〜２５、ｙが３〜１５であり、ｚ＋ｕの合計が７〜３０である、請求項１に記載のポリマー。
【請求項６】
１つまたは複数のカルボン酸基を有する前記モノビニルモノマーが、アクリル酸、メタクリル酸、イタコン酸、クロトン酸、マレイン酸、チグリン酸、メサコン酸、シトラコン酸またはその混合物である、請求項１から５のいずれかに記載のポリマー。
【請求項７】
１つまたは複数のカルボン酸基を有する前記モノビニルモノマーが、アクリル酸、メタクリル酸、イタコン酸またはその混合物である、請求項１から６のいずれかに記載のポリマー。
【請求項８】
１つまたは複数のカルボン酸基を有する前記モノビニルモノマーが、アクリル酸である、請求項１から７のいずれかに記載のポリマー。
【請求項９】
数平均分子量３０００〜７０，０００、または３０００〜２０，０００、または５０００〜１２，０００を有する、請求項１から８のいずれかに記載のポリマー。
【請求項１０】
繰り返し単位［  ］ｕが、繰り返し単位［  ］ｚよりも多い量で存在する（すなわち、ｕ＞ｚ）、請求項１から９のいずれかに記載のポリマー。
【請求項１１】
微粒子状固体（典型的には、顔料またはフィラー）、液体媒体および請求項１から１０のいずれかに記載のポリマーを含む、組成物。
【請求項１２】
顔料が、キナクリドンまたはその混合物である、請求項１１に記載の組成物。
【請求項１３】
前記ポリマーが、０．１〜５０ｗｔ％、または０．２５〜３５ｗｔ％、および０．５〜３０ｗｔ％から選択される範囲で存在する、請求項１１から１２のいずれかに記載の組成物。
【請求項１４】
微粒子状固体、極性液体、膜形成樹脂および請求項１から１０のいずれかに記載のポリマーを含む、塗料またはインク。
【請求項１５】
顔料、極性液体および請求項１から１０のいずれかに記載のポリマーを含む、インクジェット印刷用インク。
【請求項１６】
分散剤としての、請求項１から１０のいずれかに記載のポリマーの使用。
【請求項１７】
インクまたは塗料における分散剤としての、請求項１から１０のいずれかに記載のポリマーの使用。
【手続補正２】
【補正対象書類名】明細書
【補正対象項目名】００５３
【補正方法】変更
【補正の内容】
【００５３】
一実施形態では、本発明は、本明細書に開示のポリマーを分散剤として使用することを提供する。一実施形態では、本発明は、本明細書に開示のポリマーを、本明細書に開示の組成物における分散剤として使用することを提供する。
一実施形態において、例えば、以下の項目が提供される。
（項目１）
少なくとも２〜２００個または５〜１５０個または１０〜１００個または１５〜５０個の繰り返し単位を含むポリマーであって、前記繰り返し単位が、
（ａ）
【化２３】
2014514376.tif 000007
によって表される繰り返し単位、
（ｂ）
【化２４】
2014514376.tif 000008
によって表される繰り返し単位、
（ｃ）
【化２５】
2014514376.tif 000009
によって表される繰り返し単位、および
（ｄ）
【化２６】
2014514376.tif 000010
によって表される繰り返し単位を含む構造（ａ）、（ｂ）、（ｃ）および（ｄ）の群から選択され、
式中、
Ｅ１が、２〜５個または２〜３個の炭素原子によって隔てられている（典型的には、前記炭素原子は結合して、アルキレン鎖を形成する）１つまたは複数のカルボン酸基を有するモノビニルモノマーから誘導された繰り返し単位であり、
Ｅ２が、２〜５個または２〜３個の炭素原子によって隔てられている（典型的には、前記炭素原子は結合して、アルキレン鎖を形成する）１つまたは複数のカルボン酸基を有する１つまたは２つのモノビニルモノマーの繰り返し単位から誘導された繰り返し単位であり、ｕが、０〜１５０、または０〜１１０、または０〜７０、または０〜４５であり、
ｘが、０〜５０、または０〜４０、または３〜３０、または５〜２５であり、
ｙが、１〜５０、または２〜３５、または２〜２０、または２〜１５、または３〜１５であり、
ｚが、１〜１００、または３〜７５、または５〜５０、または７〜３０であり、
Ｑが、
【化２７】
2014514376.tif 000011
のいずれかであり、
Ｈｙが、１〜１０個または１〜５個または１〜３個または２〜３個の炭素原子を含有する直鎖または分枝ヒドロカルビレン基であり、
各Ｒ１が、ヒドロカルビル基、典型的には、Ｃ１〜１００、Ｃ１〜３０、またはＣ６〜２４、またはＣ７〜１８ヒドロカルビル基（典型的には、アルキルまたはアルカリールまたはアリール基）であり、
各Ｒ２が、−ＣＨ３、−ＣＨ２ＣＨ３、または芳香族基（典型的には、フェニル基、ナフチル基）、または置換芳香族基であり、
各Ｒ３が、ヒドロカルビル基、典型的には、Ｃ１〜３０、またはＣ６〜２４、またはＣ８〜１８ヒドロカルビル基（典型的には、アルキルまたはアルカリールまたはアリール基）であり、
各Ｒ６が、Ｒ３または場合によっては置換されている（メタ）アクリル基であり（典型的には、各Ｒ６は、Ｒ３またはヒドロキシアルキル（メタ）アクリレートであってよい）、Ｗが、Ｒ１−または
【化２８】
2014514376.tif 000012
のいずれかであり、
ｎ＋ｍの合計が、５〜８０、または７〜７７、または８〜７５、または１０〜７０であり、典型的には、ｎが、ｍより大きい整数である（ｎは、１１〜７０であってよく、ｍは、０〜３４であってよい）、ポリマー。
（項目２）
ｘが０〜５０、ｙが１〜５０、ｚが１〜１００であり、またはより好ましくは、ｘが０〜５０、ｙが１〜５０であり、ｚ＋ｕの合計が１〜１００である、項目１に記載のポリマー。
（項目３）
ｘが０〜４０、ｙが２〜３５、ｚが３〜７５であり、またはより好ましくは、ｘが０〜４０、ｙが２〜３５であり、ｚ＋ｕの合計が３〜７５である、項目１に記載のポリマー。
（項目４）
ｘが３〜３０、ｙが２〜２０、ｚが５〜５０であり、またはより好ましくは、ｘが３〜３０、ｙが２〜２０であり、ｚ＋ｕの合計が５〜５０である、項目１に記載のポリマー。
（項目５）
ｘが５〜２５、ｙが３〜１５、ｚが７〜３０であり、またはより好ましくは、ｘが５〜２５、ｙが３〜１５であり、ｚ＋ｕの合計が７〜３０である、項目１に記載のポリマー。
（項目６）
１つまたは複数のカルボン酸基を有する前記モノビニルモノマーが、アクリル酸、メタクリル酸、イタコン酸、クロトン酸、マレイン酸、チグリン酸、メサコン酸、シトラコン酸またはその混合物である、前記項目のいずれかに記載のポリマー。
（項目７）
１つまたは複数のカルボン酸基を有する前記モノビニルモノマーが、アクリル酸、メタクリル酸、イタコン酸またはその混合物である、前記項目のいずれかに記載のポリマー。
（項目８）
１つまたは複数のカルボン酸基を有する前記モノビニルモノマーが、アクリル酸である、前記項目のいずれかに記載のポリマー。
（項目９）
数平均分子量３０００〜７０，０００、または３０００〜２０，０００、または５０００〜１２，０００を有する、前記項目のいずれかに記載のポリマー。
（項目１０）
ｕの値が０を超え、より好ましくは繰り返し単位［  ］ｕが、繰り返し単位［  ］ｚよりも多い量で存在する（すなわち、ｕ＞ｚ）、前記項目のいずれかに記載のポリマー。
（項目１１）
（ａ）１つまたは複数のカルボン酸基またはその塩を有するモノビニルモノマーを重合させて、少なくとも２〜２００個または５〜１５０個または１０〜１００個または１５〜５０個の繰り返し単位を有するポリマーを形成するステップと、
（ｂ）前記（１）のポリマーを、第１級ヒドロカルビルアミンおよびポリオキシアルキレン第１級アミン（典型的には、ポリエーテルアミン）と反応させるステップ、または
前記（１）のポリマーを、ポリオキシアルキレンアルコールと反応させるステップ
の、（ｂ）または（ｃ）のいずれかと
を含む方法によって得られた／得ることができる、ポリマー。
（項目１２）
微粒子状固体（典型的には、顔料またはフィラー）、液体媒体および項目１から１１のいずれかに記載のポリマーを含む、組成物。
（項目１３）
顔料が、キナクリドンまたはその混合物である、項目１２に記載の組成物。
（項目１４）
前記ポリマーが、０．１〜５０ｗｔ％、または０．２５〜３５ｗｔ％、および０．５〜３０ｗｔ％から選択される範囲で存在する、項目１２から１３のいずれかに記載の組成物。
（項目１５）
微粒子状固体、極性液体、膜形成樹脂および項目１から１１のいずれかに記載のポリマーを含む、塗料またはインク。
（項目１６）
顔料、極性液体および項目１から１１のいずれかに記載のポリマーを含む、インクジェット印刷用インク。
（項目１７）
分散剤としての、項目１から１１のいずれかに記載のポリマーの使用。
（項目１８）
インクまたは塗料における分散剤としての、項目１から１１のいずれかに記載のポリマーの使用。